(57)【要約】【課題】利便性の向上が図れる電子機器を提供すること。【解決手段】電子機器としてのプロジェクタ１を構成する制御装置３０は、操作装置２０を構成する複数の操作キー２２〜２４と各操作キー２２〜２４の機能に関する各機能情報とが関連付けられた関連情報を記憶する関連情報記憶部３５１と、操作キー２１〜２４の入力操作を認識する入力操作認識部３４１と、入力操作認識部３４１にて機能説明キー２１といずれかの操作キー２２〜２４とが同時に入力操作されたと認識された場合に、関連情報に基づいて、機能説明キー２１と同時に入力操作された操作キーに対応する機能情報を報知手段１０に報知させる報知制御部３４３とを備える。【選択図】図１
2009075746.tif 000002
【特許請求の範囲】
【請求項１】
入力操作可能とする複数の操作キーを有する操作手段と、所定の情報を報知する報知手段と、前記操作手段および前記報知手段を制御する制御手段とを備えた電子機器であって、
前記複数の操作キーは、前記操作キーの機能に関する機能情報を前記報知手段に報知させるための機能説明キーを含んで構成され、
前記制御手段は、
前記複数の操作キーのうち少なくともいずれかの操作キーと前記機能情報とが関連付けられた関連情報を記憶する関連情報記憶部と、
前記操作キーの入力操作を認識する入力操作認識部と、
前記入力操作認識部にて前記機能説明キーといずれかの前記操作キーとが同時に入力操作されたと認識された場合に、前記関連情報に基づいて、前記機能説明キーと同時に入力操作された前記操作キーに対応する前記機能情報を前記報知手段に報知させる報知制御部とを備えている
ことを特徴とする電子機器。
【請求項２】
請求項１に記載の電子機器において、
前記報知手段は、画像を表示することで所定の情報を報知し、
前記報知制御部は、前記機能情報に基づく画像を前記報知手段に表示させる
ことを特徴とする電子機器。
【請求項３】
請求項１または請求項２に記載の電子機器において、
前記制御手段は、
前記複数の操作キーのうち少なくともいずれかの操作キーと当該電子機器における前記操作キーの機能の現状に関する状態情報とを関連付けて記憶する状態情報記憶部と、
前記入力操作認識部にて前記機能説明キーといずれかの前記操作キーとが同時に入力操作されたと認識された継続時間を計測する計測部とを備え、
前記報知制御部は、
前記計測部にて計測された継続時間が所定の時間以上となった場合に、前記機能説明キーと同時に入力操作された前記操作キーに対応する前記状態情報を前記報知手段に報知させる
ことを特徴とする電子機器。
【請求項４】
請求項１から請求項３のいずれかに記載の電子機器において、
当該電子機器は、光源装置と、前記光源装置から射出された光束を画像情報に応じて変調する光変調装置と、前記光変調装置にて変調された光束を拡大投射する投射光学装置とを備えたプロジェクタである
ことを特徴とする電子機器。
【請求項５】
入力操作可能とする複数の操作キーを有する操作手段と、所定の情報を報知する報知手段と、前記操作手段および前記報知手段を制御する制御手段とを備えた電子機器の制御方法であって、
前記複数の操作キーは、前記操作キーの機能に関する機能情報を前記報知手段に報知させるための機能説明キーを含んで構成され、
前記制御手段が、
前記操作キーの入力操作を認識する入力操作認識ステップと、
前記入力操作認識ステップにて前記機能説明キーといずれかの前記操作キーとが同時に入力操作されたと認識した場合に、前記複数の操作キーのうち少なくともいずれかの操作キーと前記機能情報とが関連付けられた関連情報に基づいて、前記機能説明キーと同時に入力操作された前記操作キーに対応する前記機能情報を前記報知手段に報知させる報知制御ステップとを実行する
ことを特徴とする制御方法。
【請求項６】
入力操作可能とする複数の操作キーを有する操作手段と、所定の情報を報知する報知手段と、前記操作手段および前記報知手段を制御する制御手段とを備えた電子機器の制御プログラムであって、
請求項５に記載の制御方法を前記制御手段に実行させる
ことを特徴とする制御プログラム。
【発明の詳細な説明】
【技術分野】
【０００１】
本発明は、入力操作可能とする複数の操作キーを有する操作手段と、所定の情報を報知する報知手段と、操作手段および報知手段を制御する制御手段とを備えた電子機器、制御方法、および制御プログラムに関する。
【背景技術】
【０００２】
従来、装置本体に設けられた操作パネルや、遠隔操作可能とするリモートコントローラ等の操作手段を備え、利用者による操作手段への入力操作により、種々の機能を実施するプロジェクタが知られている。
このようなプロジェクタでは、一般的に、操作手段において、各操作キーの機能を利用者に認識させるために、操作キーの近傍に該操作キーの機能を示す情報が記載されている（例えば、特許文献１参照）。
【０００３】
【特許文献１】特開２００３−２６２９２２号公報（図３）
【発明の開示】
【発明が解決しようとする課題】
【０００４】
しかしながら、操作キーの近傍に記載できる文字数は限られているため、利用者がその記載だけで操作キーに割り当てられた機能を認識することは困難なものである。
また、操作手段に設けられた例えばヘルプボタンが押下されることで、操作説明等に関するヘルプ画面を表示するプロジェクタも存在する。すなわち、利用者は、ヘルプボタンを押下してヘルプ画面を確認しながら、適宜、項目を選択することで操作キーに関連した情報を見つけ出し、操作キーに割り当てられた機能を認識することができる。しかしながら、操作説明等に関する情報は、膨大な量である。このため、膨大な量の情報から操作キーに関連した情報を見つけ出すことは困難なものである。
したがって、操作キーの機能を容易に認識させることができ、利便性の向上が図れる技術が要望されている。
【０００５】
本発明の目的は、利便性の向上が図れる電子機器、制御方法、および制御プログラムを提供することにある。
【課題を解決するための手段】
【０００６】
本発明の電子機器は、入力操作可能とする複数の操作キーを有する操作手段と、所定の情報を報知する報知手段と、前記操作手段および前記報知手段を制御する制御手段とを備えた電子機器であって、前記複数の操作キーは、前記操作キーの機能に関する機能情報を前記報知手段に報知させるための機能説明キーを含んで構成され、前記制御手段は、前記複数の操作キーのうち少なくともいずれかの操作キーと前記機能情報とが関連付けられた関連情報を記憶する関連情報記憶部と、前記操作キーの入力操作を認識する入力操作認識部と、前記入力操作認識部にて前記機能説明キーといずれかの前記操作キーとが同時に入力操作されたと認識された場合に、前記関連情報に基づいて、前記機能説明キーと同時に入力操作された前記操作キーに対応する前記機能情報を前記報知手段に報知させる報知制御部とを備えている。
【０００７】
ここで、報知手段としては、所定の情報を報知可能な構成であれば、いずれの構成でもよく、例えば、音声出力により情報を報知する構成としてもよいし、画像表示により情報を報知する構成としても構わない。
【０００８】
本発明では、制御手段は、関連情報記憶部と、入力操作認識部と、報知制御部とを備えているので、以下に示すように、操作キーの機能を利用者に認識させることができる。
すなわち、入力操作認識部は、利用者による各操作キーの入力操作を認識する（入力操作認識ステップ）。
そして、報知制御部は、入力操作認識部にて機能説明キーといずれかの操作キーとが同時に入力操作されたと認識された場合に、関連情報記憶部に記憶された関連情報に基づいて、機能説明キーと同時に入力操作された操作キーに対応する機能情報を報知手段に報知させる（報知制御ステップ）。
以上のように、利用者は、操作キーの機能が不明な場合には、機能が不明な操作キーと機能説明キーを同時に入力操作することで、報知手段から報知される機能情報により、操作キーの機能を把握できる。
したがって、利用者に操作キーの機能を簡単な操作で容易に認識させることができ、利便性の向上が図れる。
また、機能情報を報知することにより各操作キーの機能を利用者に認識させることができるため、操作手段において、各操作キー近傍に記載する各操作キーの機能を示す情報をより簡略化することができ、多機能化により各操作キーの数が増加した場合であっても、適切に対応できる。
【０００９】
本発明の電子機器では、前記報知手段は、画像を表示することで所定の情報を報知し、前記報知制御部は、前記機能情報に基づく画像を前記報知手段に表示させることが好ましい。
本発明では、画像表示により機能情報を報知する構成であるので、利用者に操作キーの機能をより確実に認識させることができる。
【００１０】
本発明の電子機器では、前記制御手段は、前記複数の操作キーのうち少なくともいずれかの操作キーと当該電子機器における前記操作キーの機能の現状に関する状態情報とを関連付けて記憶する状態情報記憶部と、前記入力操作認識部にて前記機能説明キーといずれかの前記操作キーとが同時に入力操作されたと認識された継続時間を計測する計測部とを備え、前記報知制御部は、前記計測部にて計測された継続時間が所定の時間以上となった場合に、前記機能説明キーと同時に入力操作された前記操作キーに対応する前記状態情報を報知手段に報知させることが好ましい。
【００１１】
本発明では、制御手段は、状態情報記憶部と、計測部とを備える。そして、報知制御部は、計測部にて計測された継続時間が所定の時間以上となった場合に、機能説明キーと同時に入力操作された操作キーに対応する状態情報を報知手段に報知させる。このことにより、利用者は、電子機器における操作キーの機能の現状が不明な場合、例えば、プロジェクタ等において、種々の色合いのモードで画像を表示可能とし、該モードを選択するための操作キーが設けられ、操作キーによるモードの選択により現状でどのモードで画像を表示しているかが不明な場合には、該操作キーと機能説明キーとを所定時間、継続して同時に入力操作することで、報知手段から報知される状態情報により、電子機器における操作キーの機能の現状（上記の例では、現状のモード）を把握できる。
したがって、利用者に電子機器における操作キーの機能の現状を簡単な操作で容易に認識させることができ、利便性のさらなる向上が図れる。
【００１２】
本発明の電子機器では、当該電子機器は、光源装置と、前記光源装置から射出され光束を画像情報に応じて変調する光変調装置と、前記光変調装置にて変調された光束を拡大投射する投射光学装置とを備えたプロジェクタであることが好ましい。
本発明によれば、上述した電子機器をプロジェクタとすることで、上述した効果を好適に図れる。
【００１３】
本発明の制御方法は、入力操作可能とする複数の操作キーを有する操作手段と、所定の情報を報知する報知手段と、前記操作手段および前記報知手段を制御する制御手段とを備えた電子機器の制御方法であって、前記複数の操作キーは、前記操作キーの機能に関する機能情報を前記報知手段に報知させるための機能説明キーを含んで構成され、前記制御手段が、前記操作キーの入力操作を認識する入力操作認識ステップと、前記入力操作認識ステップにて前記機能説明キーといずれかの前記操作キーとが同時に入力操作されたと認識した場合に、前記複数の操作キーのうち少なくともいずれかの操作キーと前記機能情報とが関連付けられた関連情報に基づいて、前記機能説明キーと同時に入力操作された前記操作キーに対応する前記機能情報を前記報知手段に報知させる報知制御ステップとを実行することを特徴とする。
本発明の制御方法は、上述した電子機器によって実施されるものであるので、上述した電子機器と同様の作用および効果を享受できる。
【００１４】
本発明の制御プログラムは、入力操作可能とする複数の操作キーを有する操作手段と、所定の情報を報知する報知手段と、前記操作手段および前記報知手段を制御する制御手段とを備えた電子機器の制御プログラムであって、上述した制御方法を前記制御手段に実行させることを特徴とする。
本発明の制御プログラムは、上述した制御方法を実施するために利用されるので、上述した制御方法と同様の作用および効果を享受できる。
【発明を実施するための最良の形態】
【００１５】
以下、本発明の実施の一形態を図面に基づいて説明する。
図１は、本実施形態における電子機器としてのプロジェクタ１の構成を示すブロック図である。
プロジェクタ１は、入力した画像情報（画像信号）に対して所定の画像処理を施し、画像処理を施した画像情報に基づいて、光源から射出された光束を光学的に処理して画像光を形成し、スクリーン（図示略）に拡大投射する。このプロジェクタ１は、図１に示すように、報知手段としての画像投射装置１０と、操作手段としての操作装置２０と、制御手段としての制御装置３０とで大略構成されている。
【００１６】
画像投射装置１０は、制御装置３０による制御の下、画像光を形成してスクリーンに拡大投射する。この画像投射装置１０は、図１に示すように、光源装置１１と、光変調装置１２と、投射光学装置１３等を備える。
光源装置１１は、制御装置３０による制御の下、光束を光変調装置１２に向けて射出する。この光源装置１１は、放電発光型の超高圧水銀ランプで構成されている。なお、光源装置１１としては、超高圧水銀ランプに限らず、メタルハライドランプ、キセノンランプ等の他の放電発光型の光源ランプを採用してもよい。さらに、放電発光型の光源ランプに限らず、発光ダイオード、レーザダイオード、有機ＥＬ(Electro Luminescence)素子、シリコン発光素子等の各種固体発光素子を採用してもよい。
【００１７】
光変調装置１２は、光源装置１１から射出された光束を制御装置３０からの駆動信号に応じて画像光に変調して投射光学装置１３に射出する。
投射光学装置１３は、光変調装置１２から射出された画像光をスクリーンに向けて拡大投射する。
【００１８】
操作装置２０は、利用者による操作を認識して所定の操作信号を制御装置３０に出力する。なお、この操作装置２０としては、プロジェクタ１の図示しない外装筐体に露出して設けられる本体操作パネルや、プロジェクタ１を遠隔操作するリモートコントローラとして構成できる。そして、操作装置２０は、図１に示すように、ヘルプボタン２１、Color Modeボタン２２、E-Zoom ＋ボタン２３、およびAutoボタン２４等を備える。各ボタン２１〜２４は、本発明に係る複数の操作キーに相当する。また、ヘルプボタン２１は、本発明に係る機能説明キーに相当する。
【００１９】
ヘルプボタン２１は、プロジェクタ１の操作説明等に関するヘルプ画面Ｈ（図３（Ｂ）参照）を表示させるための操作キーである。
Color Modeボタン２２は、表示される画像のカラーモードを利用者に選択させ、選択されたカラーモードで画像を表示させるための操作キーである。
E-Zoom ＋ボタン２３は、表示される画像の倍率を利用者に選択させ、選択された倍率で画像を拡大表示させるための操作キーである。
Autoボタン２４は、同期、表示位置、トラッキングを自動的に調整させるための操作キーである。
そして、操作装置２０は、各ボタン２１〜２４が押下されると、当該ボタンに応じた操作信号を制御装置３０に出力する。なお、操作装置２０は、各ボタン２１〜２４のいずれかが押下された際での各操作信号、ヘルプボタン２１と他の各ボタン２２〜２４のいずれかとが同時押下された際での各操作信号をすべて異なる操作信号として制御装置３０に出力する。
【００２０】
なお、図１では図示を省略したが、操作装置２０は、上述したボタン２１〜２４の他、プロジェクタ１の電源ＯＮ／ＯＦＦを実施するための電源ボタン、画像の入力を切り換えるための入力切換ボタン、音量を調整するための音量調整ボタン、E-Zoom ＋ボタン２３とは逆に選択された倍率で画像を縮小表示させるためのE-Zoom −ボタン等の他の操作キーも備えているものである。
【００２１】
制御装置３０は、ＣＰＵ(Central Processing Unit)等の主制御部３４を含んで構成され、メモリ３５に記憶された制御プログラムにしたがって、プロジェクタ１全体を制御する。なお、制御装置３０の構成としては、各ボタン２２〜２４の機能に関する機能情報に基づく機能説明画面ＦＦ（図４参照）や、プロジェクタ１における各ボタン２２〜２４の機能の現状に関する状態情報に基づく状態説明画面ＳＦ（図５参照）を表示させる処理機能を主に説明し、その他の機能については説明を省略する。この制御装置３０は、主制御部３４およびメモリ３５の他、操作受付部３１と、信号処理部３２と、光変調装置制御部３３等を備える。これら各構成要素３１〜３５は、図示しないバスにより接続され、必要な情報が伝送可能に構成されている。
【００２２】
操作受付部３１は、操作装置２０から出力された操作信号を入力し、主制御部３４にて読取可能なデジタル信号に変換して主制御部３４に出力する。
信号処理部３２は、外部機器から入力した画像信号（画像情報）を、光変調装置制御部３３にて処理可能なデジタル信号（デジタル画像データ）に変換して光変調装置制御部３３に出力する。
【００２３】
光変調装置制御部３３は、主制御部３４からの制御信号に応じて、光変調装置１２の駆動制御を実施する。より具体的に、光変調装置制御部３３は、信号処理部３２を介して入力したデジタル画像データに対して所定の画像データ処理を施し、画像データ処理を施したデジタル画像データ（以下、処理済画像データ）に応じた駆動信号を光変調装置１２に出力することで処理済画像データに基づく画像（画像光）を光変調装置１２に形成させる。この光変調装置制御部３３は、図１に示すように、画像データ処理部３３１と、駆動信号生成部３３２等を備える。
【００２４】
画像データ処理部３３１は、信号処理部３２から出力されたデジタル画像データに対して、解像度を光変調装置１２の解像度（画素数）に合わせる解像度変換処理、拡大・縮小等の画像サイズ調整処理、色相、色度、コントラスト、シャープネス、輝度、同期、およびトラッキング等の画質補正処理、ＯＳＤ（オンスクリーンディスプレイ）画像を合成するＯＳＤ画像合成処理、台形歪補正処理、ガンマ補正処理等の各種の画像データ処理を実施する。なお、具体的な図示は省略したが、画像データ処理部３３１は、上述した画像データ処理を実施する際の画像メモリを有している。前記画像メモリは、入力した画像データをバッファリングする部分であり、例えば、１画面分の画像データを全て記憶するフレームバッファや、水平方向の１ライン分の走査データを記憶するラインバッファ等を採用できる。
駆動信号生成部３３２は、画像データ処理部３３１にて画像データ処理が施された処理済画像データから光変調装置１２を駆動するための駆動信号を生成し、光変調装置１２に駆動信号を出力することで画像（画像光）を形成させる。
【００２５】
主制御部３４は、メモリ３５に記憶された制御プログラムにしたがって、各構成要素３１〜３３に所定の制御信号を出力し、所定の処理を実行させる。この主制御部３４は、図１に示すように、入力操作認識部３４１と、計測部３４２と、報知制御部３４３等を備える。
入力操作認識部３４１は、操作受付部３１から出力される信号に基づいて、利用者による操作装置２０の入力操作を認識する。そして、入力操作認識部３４１は、認識した入力操作に応じた種々の処理を実行する。
また、入力操作認識部３４１は、ヘルプボタン２１と他の各ボタン２２〜２４のいずれかとの同時押下を認識した場合には、その旨を計測部３４２および報知制御部３４３等に通知する。
計測部３４２は、入力操作認識部３４１にてヘルプボタン２１と他の各ボタン２２〜２４のいずれかとの同時押下が認識された継続時間を計測する。
【００２６】
報知制御部３４３は、入力操作認識部３４１にてヘルプボタン２１と他の各ボタン２２〜２４のいずれかとの同時押下が認識された場合に、光変調装置制御部３３に所定の制御信号を出力してＯＳＤ画像合成処理を実施させ、メモリ３５に記憶された関連情報を構成する各機能情報のうちヘルプボタン２１と同時に押下されたボタンに対応する機能情報に基づく機能説明画面ＦＦ（図４参照）を表示画像に合成させて表示させる。
また、報知制御部３４３は、計測部３４２にて計測された継続時間が所定の時間以上となった場合に、光変調装置制御部３３に所定の制御信号を出力してＯＳＤ画像合成処理を実施させ、メモリ３５に記憶された各状態情報のうちヘルプボタン２１と同時に押下されたボタンに対応する状態情報に基づく状態説明画面ＳＦ（図５参照）を表示画像に合成させて表示させる。
【００２７】
メモリ３５は、制御プログラムの他、主制御部３４にて処理された情報、主制御部３４の処理に必要な情報、光変調装置制御部３３の処理に必要な情報等を記憶する。このメモリ３５は、図１に示すように、関連情報記憶部３５１と、状態情報記憶部３５２とを備える。
関連情報記憶部３５１は、各ボタン２２〜２４と各ボタン２２〜２４の機能に関する各機能情報とが関連付けられた関連情報を予め記憶している。また、関連情報記憶部３５１は、ヘルプ画面に関するヘルプ画像情報を予め記憶している。
状態情報記憶部３５２は、入力操作認識部３４１の処理により、各ボタン２２，２３と該ボタンの機能の現状に関する状態情報とを関連付けて記憶する。
【００２８】
〔プロジェクタの動作（制御方法）〕
図２は、プロジェクタ１の動作を説明するフローチャートである。
図３ないし図５は、プロジェクタ１の動作を説明するための図である。
次に、上述したプロジェクタ１の動作について図面を参照して説明する。
なお、以下では、プロジェクタ１の動作として、機能説明画面ＦＦや、状態説明画面ＳＦを表示させる動作を主に説明し、その他の動作については、説明を省略する。
また、以下では、プロジェクタ１の電源がＯＮされ、スクリーン上に所定の表示画像Ｆｇ（図３（Ａ））が表示されている状態とする。
先ず、入力操作認識部３４１は、利用者により操作装置２０が入力操作されたか否かを常時、監視する（ステップＳ１：入力操作認識ステップ）。
ステップＳ１において、入力操作認識部３４１は、「Ｙ」と判定した場合には、ヘルプボタン２１と他の各ボタン２２〜２４のいずれかとが同時押下されているか否かを判定する（ステップＳ２：入力操作認識ステップ）。
【００２９】
ステップＳ２において、入力操作認識部３４１は、「Ｎ」と判定した場合には、各ボタン２１〜２４の押下に応じた各処理を実行する（ステップＳ３）。
例えば、入力操作認識部３４１は、ヘルプボタン２１の押下を認識した場合には、光変調装置制御部３３に所定の制御信号を出力してＯＳＤ画像合成処理を実施させ、メモリ３５に記憶されたヘルプ画像情報に基づくヘルプ画面Ｈを表示画像Ｆｇに合成させて表示させる（図３（Ｂ））。そして、利用者は、ヘルプ画面Ｈを確認しながら、適宜、操作装置２０を操作して調べたい項目を選択することで、プロジェクタ１の操作説明等に関する情報を把握する。
【００３０】
また、例えば、入力操作認識部３４１は、Color Modeボタン２２の押下を認識した場合には、光変調装置制御部３３に所定の制御信号を出力して画質補正処理を実施させ、各モード（例えば、リビング、シアタ、ゲーム等）に応じた色合いで表示画像Ｆｇを表示させる。また、入力操作認識部３４１は、Color Modeボタン２２の機能の現状に関する状態情報、例えば、現状で「シアタ」のモードで表示画像Ｆｇを表示させている場合には「シアタ」のモードである旨の状態情報とColor Modeボタン２２とを関連付けてメモリ３５に記憶させる。すなわち、入力操作認識部３４１は、Color Modeボタン２２の押下を認識した場合には、メモリ３５に記憶されたColor Modeボタン２２に対応する状態情報を読み込み、現状のモードを認識する。そして、入力操作認識部３４１は、認識したモードの次のモード（「リビング」の次は「シアタ」、「シアタ」の次は「ゲーム」、「ゲーム」の次は「リビング」等）に応じた色合いで表示画像Ｆｇを表示させる。
【００３１】
さらに、例えば、入力操作認識部３４１は、E-Zoom ＋ボタン２３の押下を認識した場合には、光変調装置制御部３３に所定の制御信号を出力して画像サイズ調整処理を実施させ、各倍率（例えば、0.5倍〜4倍までの0.125倍刻み）で表示画像Ｆｇを拡大表示させる。また、入力操作認識部３４１は、上記同様に、E-Zoom ＋ボタン２３の機能の現状に関する状態情報、例えば、現状で「1倍」の倍率で表示画像Ｆｇを表示させている場合には「1倍」である旨の状態情報とE-Zoom ＋ボタン２３とを関連付けてメモリ３５に記憶させる。すなわち、入力操作認識部３４１は、上記同様に、E-Zoom ＋ボタン２３の押下を認識した場合には、メモリ３５に記憶されたE-Zoom ＋ボタン２３に対応する状態情報を読み込み、現状の倍率を認識する。そして、入力操作認識部３４１は、認識した倍率の次の倍率（「0.5倍」の次は「0.625倍」、「0.625倍」の次は「0.75倍」・・・）で表示画像Ｆｇを拡大表示させる。
【００３２】
さらにまた、例えば、入力操作認識部３４１は、Autoボタン２４の押下を認識した場合には、光変調装置制御部３３に所定の制御信号を出力して画質補正処理、すなわち、同期、表示位置、トラッキングの自動調整を実施させる。なお、Autoボタン２４に関しては、上述したような機能の現状に関する状態情報が存在しないため、入力操作認識部３４１は、Autoボタン２４に関する状態情報をメモリ３５に記憶させる処理を実施しない。
【００３３】
また、入力操作認識部３４１は、上記の各ボタン２１〜２４の押下の他、例えば電源ボタン、入力切換ボタン、音量調整ボタン、E-Zoom −ボタンの押下を認識した場合には、プロジェクタ１の電源のＯＮあるいはＯＦＦの処理、画像信号の入力を切り換える処理、音量を調整する処理、E-Zoom ＋ボタン２３の押下とは逆に表示画像Ｆｇを縮小表示させる処理等を実施する。
【００３４】
一方、ステップＳ２において、入力操作認識部３４１が「Ｙ」と判定した場合には、計測部３４２は、入力操作認識部３４１にてヘルプボタン２１と他の各ボタン２２〜２４のいずれかとの同時押下が認識された継続時間の計測を開始する（ステップＳ４）。
ステップＳ４の後、報知制御部３４３は、光変調装置制御部３３に所定の制御信号を出力してＯＳＤ画像合成処理を実施させ、メモリ３５に記憶された関連情報を構成する各機能情報のうちヘルプボタン２１と同時に押下されているボタンに対応する機能情報に基づく機能説明画面ＦＦを表示画像Ｆｇに合成させて表示させる（ステップＳ５：報知制御ステップ）。
【００３５】
例えば、報知制御部３４３は、ヘルプボタン２１と同時に押下されているボタンがColor Modeボタン２２である場合には、図４（Ａ）に示すように、Color Modeボタン２２の説明として、Color Modeボタン２２の機能が記載された機能説明画面ＦＦ１を表示画像Ｆｇに合成させて表示させる。
また、例えば、報知制御部３４３は、ヘルプボタン２１と同時に押下されているボタンがE-Zoom ＋ボタン２３である場合には、図４（Ｂ）に示すように、E-Zoom ＋ボタン２３の説明として、E-Zoom ＋ボタン２３の機能が記載された機能説明画面ＦＦ２を表示画像Ｆｇに合成させて表示させる。
さらに、例えば、報知制御部３４３は、ヘルプボタン２１と同時に押下されているボタンがAutoボタン２４である場合には、図４（Ｃ）に示すように、Autoボタン２４の説明として、Autoボタン２４の機能が記載された機能説明画面ＦＦ３を表示画像Ｆｇに合成させて表示させる。
そして、利用者は、機能説明画面ＦＦを確認することで、操作装置２０において、各ボタン２２〜２４近傍に記載された各機能を示す情報からでは認識できなかった各ボタン２２〜２４の機能を把握する。
【００３６】
ステップＳ５の後、報知制御部３４３は、入力操作認識部３４１にてヘルプボタン２１と他の各ボタン２２〜２４のいずれかとの同時押下の認識状態が継続しているか否かを判定する（ステップＳ６）。
ステップＳ６において、主制御部３４は、「Ｎ」と判定した場合、すなわち、利用者がヘルプボタン２１と他の各ボタン２２〜２４とのいずれかとの同時押下を止めた場合には、再度、ステップＳ１に移行する。そして、主制御部３４は、ステップＳ１において「Ｙ」と判定し、ステップＳ１以降の処理を実施する際に、機能説明画面ＦＦの表示を終了する。
【００３７】
一方、ステップＳ６において、報知制御部３４３は、「Ｙ」と判定した場合、すなわち、利用者がヘルプボタン２１と他の各ボタン２２〜２４とのいずれかとの同時押下を継続している場合には、計測部３４２にて計測された継続時間を認識する。そして、報知制御部３４３は、認識した継続時間が所定の時間以上であるか否かを判定する（ステップＳ７）。
ステップＳ７において、報知制御部３４３は、「Ｎ」と判定した場合には、再度、ステップＳ６に移行する。
【００３８】
一方、ステップＳ７において、報知制御部３４３は、「Ｙ」と判定した場合には、光変調装置制御部３３に所定の制御信号を出力してＯＳＤ画像合成処理を実施させ、メモリ３５に記憶された各状態情報のうちヘルプボタン２１と同時に押下されているボタンに対応する状態情報に基づく状態説明画面ＳＦを表示画像Ｆｇに合成させて表示させる（ステップＳ８）。
【００３９】
例えば、報知制御部３４３は、ヘルプボタン２１と同時に押下されているボタンがColor Modeボタン２２である場合には、図５（Ａ）に示すように、Color Modeボタン２２のの機能の現状が記載された状態説明画面ＳＦ１を表示画像Ｆｇに合成させて表示させる。なお、図５（Ａ）に示す例では、現状で「シアタ」のモードで表示画像Ｆｇが表示されている状態を示している。
また、例えば、報知制御部３４３は、ヘルプボタン２１と同時に押下されているボタンがE-Zoom ＋ボタン２３である場合には、図５（Ｂ）に示すように、E-Zoom ＋ボタン２３の機能の現状が記載された状態説明画面ＳＦ２を表示画像Ｆｇに合成させて表示させる。なお、図５（Ｂ）に示す例では、現状で「1倍」の倍率で表示画像Ｆｇが拡大表示されている状態を示している。
さらに、例えば、報知制御部３４３は、ヘルプボタン２１と同時に押下されているボタンがAutoボタン２４である場合には、上述したようにメモリ３５にはAutoボタン２４に関する状態情報が記憶されないため、図５（Ｃ）に示すように、「表示する状態情報がない」旨が記載された状態説明画面ＳＦ３を表示画像Ｆｇに合成させて表示させる。
【００４０】
ステップＳ８の後、報知制御部３４３は、ステップＳ６と同様に、入力操作認識部３４１にてヘルプボタン２１と他の各ボタン２２〜２４のいずれかとの同時押下の認識状態が継続しているか否かを常時、監視する（ステップＳ９）。
そして、主制御部３４は、ステップＳ９において、「Ｎ」と判定した場合、すなわち、利用者がヘルプボタン２１と他の各ボタン２２〜２４とのいずれかとの同時押下を止めた場合には、再度、ステップＳ１に移行する。そして、主制御部３４は、ステップＳ１において「Ｙ」と判定し、ステップＳ１以降の処理を実施する際に、状態説明画面ＳＦの表示を終了する。
【００４１】
上述した本実施形態によれば、以下の効果がある。
本実施形態では、プロジェクタ１を構成する制御装置３０は、関連情報記憶部３５１と、入力操作認識部３４１と、報知制御部３４３とを備えている。このことにより、利用者は、各ボタン２２〜２４の機能が不明な場合には、機能が不明なボタンとヘルプボタン２１とを同時押下することで、表示画像Ｆｇに合成される機能説明画面ＦＦにより、ボタン２２〜２４の機能を把握できる。
したがって、利用者に各ボタン２２〜２４の機能を簡単な操作で容易に認識させることができ、利便性の向上が図れる。
【００４２】
また、上述したように、機能説明画面ＦＦによりボタン２２〜２４の機能を利用者に認識させることができるため、操作装置２０において、各ボタン２２〜２４近傍に記載する各ボタン２２〜２４の機能を示す情報をより簡略化することができ、多機能化により各ボタンの数が増加した場合であっても、適切に対応できる。
【００４３】
また、本実施形態では、画像表示により機能情報を報知する構成であるので、利用者に各ボタン２２〜２４の機能をより確実に認識させることができる。
【００４４】
また、制御装置３０は、状態情報記憶部３５２と、計測部３４２とを備える。そして、報知制御部３４３は、計測部３４２にて計測された継続時間が所定の時間以上となった場合に、ヘルプボタン２１と同時押下されたボタンに対応する状態情報に基づく状態説明画面Ｓｆを表示画像Ｆｇに合成させて表示させる。このことにより、利用者は、各ボタン２２，２３の機能の現状が不明な場合には、機能の現状が不明なボタンとヘルプボタン２１とを所定時間、継続して同時押下することで、表示画像Ｆｇに合成される状態説明画面ＳＦ１，ＳＦ２により、プロジェクタ１における各ボタンの機能の現状を把握できる。
したがって、利用者にプロジェクタ１における各ボタンの機能の現状を簡単な操作で容易に認識させることができ、利便性のさらなる向上が図れる。
【００４５】
なお、本発明は前述の実施形態に限定されるものではなく、本発明の目的を達成できる範囲での変形、改良等は本発明に含まれるものである。
前記実施形態では、報知手段として、画像投射装置１０を採用し、画像表示により機能情報や状態情報を報知する構成としていたが、これに限らず、スピーカ等からの音声出力により機能情報や状態情報を報知する構成としても構わない。
【００４６】
前記実施形態において、機能説明キーとしては、ヘルプボタン２１に限らず、その他の操作キー、例えば、機能説明画面ＦＦや状態説明画面ＳＦを表示させるための専用の操作キーを設け、該専用の操作キーを機能説明キーとして構成しても構わない。しかしながら、前記実施形態のように、機能説明キーをヘルプボタン２１として構成した場合には、上述したような専用の操作キーを設ける必要がなく、操作装置２０の制御構造のみを変更することで、機能説明画面ＦＦや状態説明画面ＳＦを表示させることができる。
【００４７】
前記実施形態では、説明の便宜上、機能説明画面ＦＦや状態説明画面ＳＦの表示対象として各ボタン２２〜２４を例示していたが、これに限らず、その他の操作キーに関する機能説明画面ＦＦや状態説明画面ＳＦを表示させる構成としても構わない。
【００４８】
前記実施形態において、光変調装置１２としては、透過型の液晶パネルや反射型の液晶パネルの他、ＤＭＤ(Digital Micromirror Device)(米国テキサスインスツルメント社の商標)等を採用してもよい。
前記実施形態では、スクリーンを観察する方向から画像投射を行うフロントタイプのプロジェクタ１のみを例示したが、本発明は、スクリーンを観察する方向とは反対側から画像投射を行うリアタイプのプロジェクタにも適用可能である。
前記実施形態では、電子機器としてプロジェクタを採用したが、これに限らず、操作手段およびスピーカ等の報知手段を備える電子機器であれば、例えば、パーソナルコンピュータ、液晶テレビ、プラズマテレビ、有機ＥＬディスプレイ等の表示手段を備えたテレビ受信機、ＨＤＤ(Hard Disk Drive)レコーダ、ＤＶＤ(Digital Versatile Disk)プレーヤ等の他の電子機器を採用しても構わない。
【産業上の利用可能性】
【００４９】
本発明は、利便性の向上が図れるため、プレゼンテーションやホームシアタに用いられるプロジェクタ等の電子機器に利用できる。
【図面の簡単な説明】
【００５０】
【図１】本実施形態における電子機器としてのプロジェクタの構成を示すブロック図。
【図２】前記実施形態におけるプロジェクタの動作を説明するフローチャート。
【図３】前記実施形態におけるプロジェクタの動作を説明するための図。
【図４】前記実施形態におけるプロジェクタの動作を説明するための図。
【図５】前記実施形態におけるプロジェクタの動作を説明するための図。
【符号の説明】
【００５１】
１・・・プロジェクタ（電子機器）、１０・・・画像投射装置（報知手段）、１１・・・光源装置、１２・・・光変調装置、１３・・・投射光学装置、２０・・・操作装置（操作手段）、２１・・・ヘルプボタン（操作キー、機能説明キー）、２２・・・Color Modeボタン（操作キー）、２３・・・E-Zoom ＋ボタン（操作キー）、２４・・・Autoボタン（操作キー）、３０・・・制御装置（制御手段）、３４１・・・入力操作認識部、３４２・・・計測部、３４３・・・報知制御部、３５１・・・関連情報記憶部、３５２・・・状態情報記憶部、Ｓ１，Ｓ２・・・入力操作認識ステップ、Ｓ５・・・報知制御ステップ。
【図１】
2009075746.tif 000003
【図２】
2009075746.tif 000004
【図３】
2009075746.tif 000005
【図４】
2009075746.tif 000006
【図５】
2009075746.tif 000007